(57)【要約】【課題】  払出要求を行うタイミングを早めて景品の買取処理に要する時間を短縮すると共に、装置全体の水平方向長さを短縮する。【解決手段】  景品読取装置Ｒは、第２ユニットＲ２の上に第１ユニットＲ１が配置された構造を有している。第１ユニットＲ１は、受入部２および第１繰出し手段３−１と、識別手段５と、リジェクト集積部６と、一時保留部８とが第１搬送路４−１に沿って順次、略水平に直列配置された構成を有している。また、第２ユニットＲ２は、第２繰出し手段３−２と、選別手段および複数の分類集積部９ａ〜９ｃとが第２搬送路４−２に沿って順次、略水平に直列配置された構成を有している。２搬送路４−２の搬送方向が第１搬送路４−１の搬送方向とは反対方向となるように構成されている。識別手段５によって識別された景品を一時保留部８に集積し終えた時点で払出要求を行うことが可能となる。【選択図】  図１
2005287595.tif 000002
【特許請求の範囲】
【請求項１】
複数の景品を受け入れ可能な受入部と、
この受入部から景品を１つずつ繰り出す第１繰出し手段と、
この第１繰出し手段によって繰り出された景品を搬送する第１搬送路と、
この第１搬送路で搬送される景品の種類を識別する識別手段と、
この識別手段によって識別された景品の種類および順番を記憶する記憶手段と、
前記識別手段によって識別された景品を順次集積する一時保留部と、
この一時保留部に集積された景品を順次１つずつ繰り出す第２繰出し手段と、
この第２繰出し手段によって繰り出された景品を搬送する第２搬送路と、
この第２搬送路で搬送される景品を、前記記憶手段に記憶された景品の種類および順番に基づいて種類別に選別する選別手段と、
この選別手段によって選別された景品を種類別に集積する複数の分類集積部と、
を備えたことを特徴とする景品読取装置。
【請求項２】
前記受入部および前記第１繰出し手段と、前記識別手段と、前記一時保留部とが、前記第１搬送路に沿って順次、略水平に直列配置された第１ユニットと、
前記第２繰出し手段と、前記選別手段および前記分類集積部とが、前記第２搬送路に沿って順次、略水平に直列配置された第２ユニットと、
を含み、
前記第１ユニットが前記第２ユニットの上に配置され、前記第２搬送路の搬送方向が前記第１搬送路の搬送方向とは反対方向となるように構成されている、ことを特徴とする請求項１記載の景品読取装置。
【請求項３】
前記第１ユニットは、前記第２ユニットと分離して単体で使用可能に構成されている、ことを特徴とする請求項１又は２記載の景品読取装置。
【請求項４】
前記一時保留部に集積されていた全景品の繰出しが完了した後、前記受入部から新たな景品の繰出しが可能となるように構成されている、ことを特徴とする請求項１乃至３のいずれかに記載の景品読取装置。
【発明の詳細な説明】
【技術分野】
【０００１】
本発明は、パチンコ等の遊技客が獲得した遊技媒体と交換された景品の買取を行う際、景品の計数および分類に用いられる景品読取装置に関する。
【背景技術】
【０００２】
従来、上記のような景品読取装置（例えば特許文献１に記載のもの）は、複数の景品を受け入れる受入部から景品を１つずつ繰り出して搬送すると共に、搬送される景品の種類を読み取って識別し、これらの景品を種類別に選別して複数の分類集積部（スタッカ）に種類別に集積するように構成されている。このような景品読取機は一般に、受入部および繰出し手段、識別手段、選別手段および分類集積部といった殆どの構成要素が順次、略水平に直列配置された構成を有している。
【０００３】
このような景品読取装置は通常、当該読取装置からの払出要求に基づいて現金の払出しを行う現金払出装置と組み合わせて運用される。この場合、景品読取装置は、受入部から繰り出された景品を全て選別して分類集積し終えた時点で、当該取引が成立したものとして払出要求ができるようになっている（但し、識別結果に不備があった景品はリジェクト景品として別途集積される）。
【特許文献１】特開平１０−１２４６３１号公報（図１〜図５等）
【発明の開示】
【発明が解決しようとする課題】
【０００４】
上述したような従来の景品読取装置には、次のような問題点がある。
【０００５】
まず、受入部から繰り出された景品を全て分類集積し終えるまで払出要求ができないので、景品の買取処理に時間が掛かってしまう。
【０００６】
次に、受入部および繰出し手段、識別手段、選別手段および分類集積部等の殆どの構成要素が順次、略水平に直列配置された構成を有しているので、装置全体が水平方向に長くなって置き場所を取ってしまう。また、受入部から分類集積部までの距離が遠くなってしまうので、係員による操作性が良くない。なお、景品は一般に厚手のプラスチック板等の剛性の高い物品なので、紙葉類を対象とする場合のように搬送路を湾曲させて対処するのは困難である。
【０００７】
本発明は、このような点を考慮してなされたものであり、払出要求を行うタイミングを早めて景品の買取処理に要する時間を短縮できるような景品読取装置を提供することを目的とする。また、本発明は、そのような景品交換システムにおいて、さらに装置全体の水平方向長さを短縮できるようにすることも目的とする。
【課題を解決するための手段】
【０００８】
第１の発明は、複数の景品を受け入れ可能な受入部と、この受入部から景品を１つずつ繰り出す第１繰出し手段と、この第１繰出し手段によって繰り出された景品を搬送する第１搬送路と、この第１搬送路で搬送される景品の種類を識別する識別手段と、この識別手段によって識別された景品の種類および順番を記憶する記憶手段と、前記識別手段によって識別された景品を順次集積する一時保留部と、この一時保留部に集積された景品を順次１つずつ繰り出す第２繰出し手段と、この第２繰出し手段によって繰り出された景品を搬送する第２搬送路と、この第２搬送路で搬送される景品を、前記記憶手段に記憶された景品の種類および順番に基づいて種類別に選別する選別手段と、この選別手段によって選別された景品を種類別に集積する複数の分類集積部と、を備えたことを特徴とする景品読取装置である。
【０００９】
この第１の発明によれば、識別手段によって識別された景品を一時保留部に集積し終えた時点で、記憶部に記憶された内容に基づいて払出要求を行うことが可能となる。この場合、一時保留部への景品の集積は、選別手段による選別動作を伴う分類集積部への景品の集積に比べて、より短時間で完了することができる。このため、従来よりも払出要求を行う時期を早めて、景品の買取処理に要する時間を短縮することができる。
【００１０】
第２の発明は、第１の発明において、前記受入部および前記第１繰出し手段と、前記識別手段と、前記一時保留部とが、前記第１搬送路に沿って順次、略水平に直列配置された第１ユニットと、前記第２繰出し手段と、前記選別手段および前記分類集積部とが、前記第２搬送路に沿って順次、略水平に直列配置された第２ユニットと、を含み、前記第１ユニットが前記第２ユニットの上に配置され、前記第２搬送路の搬送方向が前記第１搬送路の搬送方向とは反対方向となるように構成されているものである。
【００１１】
この第２の発明によれば、第１ユニットを第２ユニットの上に平行に重ね合わせるように配置して、装置全体の水平方向長さを短縮することができる。これにより、装置の置き場所を取らず、また受入部から分類集積部までの距離を近づけて係員による操作性を向上させることができる。
【００１２】
第３の発明は、第１又は第２の発明において、前記第１ユニットは、前記第２ユニットと分離して単体で使用可能に構成されているものである。
【００１３】
この第３の発明によれば、景品を種類別に集積する必要がない場合には、第１ユニットのみ単体で使用し、一時保留部に（種類混合状態で）一括して集積された景品をそのまま装置外へ取り出すような運用を行うことができる。
【００１４】
第４の発明は、第１乃至第３の発明のいずれかにおいて、前記一時保留部に集積されていた全景品の繰出しが完了した後、前記受入部から新たな景品の繰出しが可能となるように構成されているものである。
【００１５】
この第４の発明によれば、異なる取引の景品どうしが一時保留部で混ざり合うことを防止することができる。
【発明を実施するための最良の形態】
【００１６】
次に、図面を参照して本発明の一実施形態について説明する。図１乃至図８は本発明による景品読取装置の実施の形態を示す図である。以下、本実施形態の景品読取装置の全体構成、第１および第２ユニットの具体的構成、制御系の構成、動作、作用効果および変形例について順次説明する。
【００１７】
［全体構成］
図１および図２に示すように、本実施形態の景品読取装置Ｒは、第１ユニットＲ１と第２ユニットＲ２とで構成されている。
【００１８】
図１に示すように、第１ユニットＲ１は、受入部２および第１繰出し手段３−１と、識別手段５と、リジェクト集積部６と、一時保留部８とが第１搬送路４−１に沿って順次、略水平に直列配置された構成を有している。また、第２ユニットＲ２は、第２繰出し手段３−２と、選別手段（後述）および複数の分類集積部９ａ〜９ｃとが第２搬送路４−２に沿って順次、略水平に直列配置された構成を有している。この景品読取装置Ｒは、第１ユニットＲ１が第２ユニットＲ２の上に配置され、第２搬送路４−２の搬送方向が第１搬送路４−１の搬送方向とは反対方向となるように構成されている。
【００１９】
この景品読取装置Ｒの取り扱う景品は、例えばプラスチックでできた厚手のカード状の本体にバーコードや非接触型ＩＣによって所定の景品データが記録されたものであり、一般に「特殊景品」と称される。記録される景品データには、景品の種類（価格）や店舗コード等が含まれる。上記識別手段５は、各景品に記録された景品データを読み取ってその種類等を識別するためのものであり、景品データの記録形態に応じてバーコードリーダや非接触型ＩＣリーダ等が用いられる。なお、本実施形態では、Ａ景品（２００円）、Ｂ景品（１０００円）およびＣ景品（５０００円）の３種類の景品を対象とする場合について説明する。
【００２０】
図２に示すように、景品読取機Ｒは通常、現金払出機Ｐおよび管理ターミナルＴとそれぞれ通信可能に接続されて使用される。景品読取機Ｒは、各景品の景品データを識別手段５（図１）で読み取って景品集計データ（景品の種類別の計数値を含むデータ）として集計する。そして、景品読取機Ｒは、景品集計データに基づく金額の払出要求（出金指示）を現金払出機Ｐへ送信する。現金払出機Ｐは、景品読取機Ｒから送信された払出要求に基づいて現金の払出しを行う。
【００２１】
また、管理ターミナルＴは、景品読取機１から送信された景品集計データ等に基づく景品の買取処理の管理や、買取済み景品の出荷等の管理を行うために用いられる。なお、現金払出機Ｐは管理ターミナルＴの方に接続してもよい。その場合は、景品読取機Ｒからの払出要求に基づいて管理ターミナルＴが現金払出機Ｐへ出金指示を送信し、この出金指示に応じて現金払出機Ｐが現金の払出しを行うようにすればよい。
【００２２】
［第１ユニットの構成］
次に、図２および図３を参照して、上記第１ユニットＲ１の具体的な構成について説明する。
【００２３】
図２に示すように、第１ユニットＲ１は略直方体形状の筐体１−１を備えている。この筐体１−１の左端前側を切り欠くようにして、複数の景品Ｇを略垂直方向に積層した状態で受け入れ可能な受入部２が形成されている。筐体１−１の左手前側には、表示部１０および操作部１２が設けられている。操作部１２には、開始ボタン１４および払出ボタン１６が配置されている。
【００２４】
図３に示すように、受入部２に対応して、この受入部２の底部から景品Ｇを１つずつ繰り出す第１繰出し手段３−１が設けられている。この第１繰出し手段３−１は、最下位にある景品Ｇの後端部を押し出す押出し片３０と、この押出し片３０によって押し出された景品Ｇを挟持して送り出す対向ローラ（駆動ローラ３２および従動ローラ３４）とを有している。また、第１繰出し手段３−１は、押出し片３０を一定行程で往復運動させると同時に駆動ローラ３２を回転させるための駆動機構部３６を有している。なお、受入部２における景品Ｇの有無を検知するための受入センサＳ１が設けられている。
【００２５】
次に、第１繰出し手段３−１によって繰り出された景品Ｇを略水平に搬送する第１搬送路４−１が設けられている。この第１搬送路４−１は、複数の通路底ローラ４０，４０ｒと、これらのローラ４０，４０ｒに対向して配置された搬送ベルト４２とで構成されている。第１搬送路４−１の上流部には、当該搬送路４−１で搬送される景品Ｇの景品データを読み取ってその種類等を識別する上記識別手段５が配置されている。この識別手段５によって読み取られた景品データ（特に景品の種類）および対応する景品の順番は、記憶部（記憶手段）Ｍ（図５）で記憶される。
【００２６】
第１搬送路４−１の下流部には、識別手段５による識別結果に不備があった景品Ｇを第１搬送路４−１から下方へ排出するリジェクト機構７が配置されている。また、リジェクト機構７によって排出された景品Ｇを略垂直方向に積層した状態で集積するリジェクト集積部６が設けられている。このリジェクト集積部６は、図２に示すように筐体１−１の前面側へ開放されることで、集積された景品Ｇを外部から目視で確認でき、また外部へ容易に取り出せるように考慮されている。なお、識別結果に不備がある景品としては、例えば店舗コードが取扱い対象外のものであったり、記録された情報自体が読取り不能なもの等がある。
【００２７】
図３に示すリジェクト機構７は、リジェクト集積部６の上部で第１搬送路４−１の幅方向（図３の紙面に垂直な方向）に間隔をおいて配置された一対の通路底ローラ４０ｒを、ソレノイド等の退避駆動手段Ｄ（図５）によって搬送路４−１の幅方向外側へ退避させるような構成を有している。また、リジェクト機構７は、リジェクト集積部６の上部に下方へ付勢して設けられた揺動式の案内板７０を有している。さらに、第１搬送路４−１におけるリジェクト集積部６の直前の位置に対応して、景品Ｇの通過を検知する通過センサＳ２が配置されている。
【００２８】
そして、通過センサＳ２が景品Ｇの通過を検出したタイミングに合わせて一対の通路底ローラ４０ｒを外側へ退避させると、当該景品Ｇが案内板７０に沿って下方のリジェクト集積部６へ排出されるようになっている。なお、一対の通路底ローラ４０ｒを退避させない場合は、通路底ローラ４０，４０ｒによって支持された景品Ｇが案内板７０を上方へ押し退けながら通過できるようになっている。
【００２９】
第１搬送路４−１の下流側には、識別手段５によって識別された景品Ｇ（リジェクト集積部６に集積されたものを除く）を順次、略垂直方向に積層された状態で集積する一時保留部８が設けられている。また、一時保留部８における景品Ｇの有無を検知するための保留センサＳ３が設けられている。
【００３０】
なお、図２に示すように、筐体１−１の第１搬送路４−１に対応する部分１８は、景品の詰まり解除等に対処するために開閉可能となっている。
【００３１】
［第２ユニットの構成］
次に、図２および図４を参照して、上記第２ユニットＲ２の具体的な構成について説明する。
【００３２】
図２に示すように、第２ユニットＲ２は、第１ユニットＲ１の筐体１−１と略同一の平面形状を有した、略直方体形状の筐体１−２を備えている。その内部には、図４に示すように、第１ユニットＲ１の一時保留部８に対応して、この一時保留部８の底部から景品Ｇを１つずつ繰り出す第２繰出し手段３−２が設けられている。この第２繰出し手段３−２も、第１繰出し手段３−１と同様、押出し片３０、対向ローラ３２，３４および駆動機構部３６を有している。
【００３３】
次に、第２繰出し手段３−２によって繰り出された景品Ｇを略水平に搬送する第２搬送路４−２が設けられている。この第２搬送路４−２も、複数の通路底ローラ４４，４４ａ，４４ｂと、これらのローラ４４，４４ａ，４４ｂに対向して配置された搬送ベルト４６とで構成されている。図１にも示したように、第２繰出し手段３−２の繰出し方向および第２搬送路４−２の搬送方向は、第１繰出し手段３−１の繰出し方向および第１搬送路４−１の搬送方向とは反対方向になっている。
【００３４】
第２搬送路４−２に沿って、当該搬送路４−２で搬送される景品Ｇを、記憶部Ｍ（図５）に記憶された景品の種類および順番に基づいて種類別に選別する選別手段（下記）が設けられている。また、選別手段によって選別された景品Ｇを種類別に、それぞれ略垂直方向に積層した状態で集積する３つの分類集積部９ａ〜９ｃが設けられている。これらの集積部９ａ，９ｂおよび９ｃには、それぞれＡ景品、Ｂ景品およびＣ景品が割り当てられている。各分類集積部９ａ〜９ｃは、図２に示すように筐体１−２の前面側へ開放されることで、集積された景品Ｇを外部から目視で確認でき、また外部へ容易に取り出せるように考慮されている。
【００３５】
図４において、上記選別手段は、分類集積部９ａおよび９ｂに対応する選別機構７ａおよび７ｂと、第２搬送路４−２における集積部９ｂの直前の位置で景品Ｇの通過を検知する通過センサＳ４とを備えている。なお、第２搬送路４−２における集積部９ｃの直前の位置で景品Ｇの通過を検知する通過センサＳ５も設けられている。
【００３６】
各選別機構７ａ，７ｂは、それぞれ対応する集積部９ａ，９ｂの上部で第２搬送路４−２の幅方向（図４の紙面に垂直な方向）に間隔をおいて配置された一対の通路底ローラ４４ａ，４４ｂを、ソレノイド等の退避駆動手段Ｄ（図５）によって搬送路４−２の幅方向外側へ退避させるような構成を有している。また、各選別機構７ａ，７ｂは、それぞれ対応する集積部９ａ，９ｂの上部に下方へ付勢して設けられた揺動式の案内板７２ａ，７２ｂを有している。なお、集積部９ｃの上部にも、揺動式の案内板７２ｃが下方へ付勢して設けられている。
【００３７】
そして、第２繰出し手段３−２によって景品Ｇを繰り出すタイミングに合わせて一対の通路底ローラ４０ａを外側へ退避させると、当該景品Ｇが案内板７２ａに沿って下方のＡ景品集積部９ａへ導入されるようになっている。また、通過センサＳ４が景品Ｇの通過を検出したタイミングに合わせて一対の通路底ローラ４０ｂを外側へ退避させると、当該景品Ｇが案内板７２ｂに沿って下方のＢ景品集積部９ｂへ導入されるようになっている。
【００３８】
また、選別機構７ａ，７ｂにおいて、それぞれ一対の通路底ローラ４４ａ，４４ｂを退避させない場合は、それらのローラ４４ａ，４４ｂによって支持された景品Ｇが案内板７２ａ，７２ｂを上方へ押し退けながら通過できるようになっている。そして、通路底ローラ４４ａ，４４ｂによって支持されて集積部９ａ，９ｂ上を通過した景品Ｇは、案内板７２ｃに沿って下方のＣ景品集積部９ｃへ導入されるようになっている。
【００３９】
［制御系の構成］
次に、主に図５を参照して、景品読取装置Ｒの制御系について簡単に説明する。
【００４０】
本実施形態の景品読取装置Ｒは、上述した表示部１０、操作部１２、受入センサＳ１、第１繰出し手段３−１、識別手段５、記憶部Ｍ、保留センサＳ３、第２繰出し手段３−２、通過センサＳ２，Ｓ４，Ｓ５および退避駆動手段Ｄが接続された制御ユニット（制御手段）ＣＵを備えている。
【００４１】
この制御ユニットＣＵには、その他、第１搬送モータ４８−１、第２搬送モータ４８−２、電源部ＰＳおよび通信部ＣＭが接続されている。第１および第２搬送モータ４８−１，４８−２は、それぞれ第１および第２搬送路４−１，４−２の搬送ベルト４２，４６を駆動するためのものである。また、通信部ＣＭは、管理ターミナルＴおよび現金払出装置Ｐと景品読取装置Ｒとをそれぞれ通信可能に接続するためのものである。
【００４２】
［動  作］
次に、以上のように構成された景品読取装置による景品の買取処理における動作について、図６のフローチャートに沿って説明する。
【００４３】
景品読取装置Ｒにおいて、受入部２に景品がセットされ、操作部１２の開始ボタン１４（図２）が押下されると、景品の買取処理が開始される。まず、ステップＳＴ１で、一時保留部８に景品Ｇが残っていないかが保留センサＳ３（図３）により確認される。そして、一時保留部８に景品Ｇが残っていないことが確認されたら（ステップＳＴ１：Ｙｅｓ）、ステップＳＴ２で、受入部２から第１繰出し手段３−１によって景品Ｇが繰り出され、第１搬送路４−１で搬送される（図３）。
【００４４】
第１搬送路４−１で搬送される景品Ｇは、識別手段５によって識別され、その識別結果に不備があった景品Ｇはリジェクト機構７によってリジェクト集積部６に集積される。それ以外の景品Ｇは、全て一時保留部８に集積されて行く（図３）。
【００４５】
その後、ステップＳＴ３で、受入部２から景品Ｇが全て繰り出されたかが受入センサＳ１により確認される（図３）。そして、受入部２から景品Ｇが全て繰り出されたことが確認された後（ステップＳＴ３：Ｙｅｓ）、ステップＳＴ４で操作部１２の払出ボタン１６（図２）が押下されたら（ステップＳＴ４：Ｙｅｓ）、ステップＳＴ５で現金払出装置Ｐに対する払出要求がなされる。そして、景品読取機Ｒからの払出要求に基づいて現金払出機Ｐによる現金の払出しが行われる。
【００４６】
また、これと並行して、ステップＳＴ６で一時保留部８から第２繰出し手段３−２によって景品Ｇが繰り出され、第２搬送路４−２で搬送される（図４）。第２搬送路４−２で搬送される景品Ｇは、選別手段によって選別され、分類集積部９ａ〜９ｃに種類別に集積される。この場合、次の取引（買取処理）のために受入部２から新たな景品Ｇの繰出しが可能となるのは、上記ステップＳＴ１のように、一時保留部８から景品Ｇが全て繰り出されたことが確認された後（全景品の繰出しが完了した後）である。なお、分類集積部９ａ〜９ｃに種類別に集積された景品は、通常１回の取引（買取処理）毎に集積部９ａ〜９ｃから取り出される。
【００４７】
［作用効果］
次に、以上のように構成された本実施形態の作用効果について説明する。
【００４８】
本実施形態によれば、識別手段５によって識別された景品を一時保留部８に集積し終えた時点で、記憶部Ｍに記憶された内容に基づいて払出要求を行うことが可能となる。この場合、一時保留部８への景品の集積は、選別手段による選別動作を伴う分類集積部９ａ〜９ｃへの景品の集積に比べて、より短時間で完了することができる。このため、従来よりも払出要求を行う時期を早めて、景品の買取処理に要する時間を短縮することができる。
【００４９】
また、本実施形態によれば、第１ユニットＲ１を第２ユニットＲ２の上に平行に重ね合わせるように配置して、装置全体の水平方向長さを短縮することができる。これにより、装置の置き場所を取らず、また受入部２から分類集積部９ａ〜９ｃまでの距離を近づけて係員による操作性を向上させることができる。
【００５０】
さらに、一時保留部８から景品Ｇが全て繰り出されたことが確認された（全景品の繰出しが完了した）後、次の取引（買取処理）のために受入部２から新たな景品Ｇの繰出しが可能となるようにしたので、異なる取引の景品どうしが一時保留部８で混ざり合うことを防止することができる。
【００５１】
［変形例］
図７および図８に示す本実施形態の変形例は、第１ユニットＲ１を第２ユニットＲ２と分離して単体で使用可能に構成したものである。この場合、筐体１−１で覆われていた一時保留部８に代えて、集積した景品を外部へ容易に取り出せるよう上面および前面が開放された、一括集積部としての一時保留部８’が設けられている。
【００５２】
これにより、景品を種類別に集積する必要がない場合には、第１ユニットＲ１のみ単体で使用し、一時保留部８’に（種類混合状態で）一括して集積された景品をそのまま装置外へ取り出すような運用を行うことができる。
【図面の簡単な説明】
【００５３】
【図１】本発明による景品読取装置の一実施形態を縦断面で模式的に示す図。
【図２】図１に示した景品読取装置を、現金払出装置および管理ターミナルと共に外観で示す斜視図。
【図３】図１に示した景品読取装置における第１ユニットの内部機構を示す図。
【図４】図１に示した景品読取装置における第２ユニットの内部機構を示す図。
【図５】図１に示した景品読取装置の制御系を示すブロック図。
【図６】図１に示した景品読取装置における景品の買取処理を示すフローチャート。
【図７】図１に示した景品読取装置を第１ユニット単体で使用する状態で示す図。
【図８】図７に示した状態の景品読取装置を外観で示す斜視図。
【符号の説明】
【００５４】
Ｇ  景品
Ｒ  景品読取装置
Ｒ１  第１ユニット
１−１  筐体
１０  表示部
１２  操作部
１４  開始ボタン
１６  払出ボタン
２  受入部
Ｓ１  受入センサ
３−１  第１繰出し手段
４−１  第１搬送路
５  識別手段
６  リジェクト集積部
７  リジェクト機構
Ｓ２  通過センサ
８  一時保留部
Ｓ３  保留センサ
Ｒ２  第２ユニット
１−２  筐体
３−２  第２繰出し手段
４−２  第２搬送路
７ａ，７ｂ  選別機構（選別手段）
Ｓ４  通過センサ（選別手段）
９ａ〜９ｃ  分類集積部
ＣＵ  制御ユニット
Ｍ  記憶部
Ｔ  管理ターミナル
Ｐ  現金払出装置
【図１】
2005287595.tif 000003
【図２】
2005287595.tif 000004
【図３】
2005287595.tif 000005
【図４】
2005287595.tif 000006
【図５】
2005287595.tif 000007
【図６】
2005287595.tif 000008
【図７】
2005287595.tif 000009
【図８】
2005287595.tif 000010